(57)【要約】【課題】  ブラシに対してダンパー部材の添設位置のばらつきをなくして高品質を得ようとするものであり、さらに、ダンパー部材を添設する作業を簡素化して加工工数の低減を図ることができる超小型モータのブラシ装置を提供する。【解決手段】  超小型モータのブラシ装置は、一方面側１ａを整流子に摺接して給電するブラシ片１ｃの他方面１ｂにダンパー材３を添設する。ブラシ１は、ばね性を有する金属薄板からなるブラシ１の一方面側１ａには少なくとも整流子が摺接する部位に貴金属箔がクラッド２され、このクラッド２の反対面の他方面側１ｂには、ポリエステル樹脂が印刷、塗装等によって肉薄にコーティングされたダンパー部材３が添設される。【選択図】  図１
2010246250.tif 000002
【特許請求の範囲】
【請求項１】
一方面側を整流子に摺接して給電するブラシ片の他方面にダンパー材を添設した小型モータのブラシ装置において、ばね性を有する金属薄板からなる上記ブラシの一方面側には少なくとも上記整流子が摺接する部位に貴金属箔がクラッドされ、このクラッドの反対面の他方面側には、ポリエステル樹脂が印刷、塗装等によって肉薄にコーティングされたダンパー部材を添設したことを特徴とする超小型モータのブラシ装置。
【請求項２】
上記ダンパー部材は、上記金属薄板からなるフープ材にポリエステル樹脂が帯状にコーティングされていて、上記フープ材を所定のピッチで切り出すことにより、上記ブラシ片の他方面側に個々にダンパー部材が設けられた請求項１に記載の超小型モータのブラシ装置。
【請求項３】
上記ブラシ装置は、先端側が二叉状に形成され、１片の幅が０．１５ｍｍ乃至０．５ｍｍ、２片の間隔が０．１５ｍｍ乃至０．５ｍｍとし、上記金属薄板に板厚が０．０２ｍｍ乃至０．０５ｍｍとした請求項１に記載の超小型モータのブラシ装置。
【発明の詳細な説明】
【技術分野】
【０００１】
本発明は、整流子に摺接して給電するブラシ片にダンパー部材を設けた超小型モータのブラシ装置に関するものである。
【背景技術】
【０００２】
従来、小型モータのブラシ装置としては、ばね性金属薄板から多数連設して切り出してなるブラシに、天然ゴムや合成樹脂等のダンパー部材をブラシ片の形状に合わせて短冊状に切断し、このダンパー部材をアクリル系粘着材等の接着材によって整流子に摺接して給電する上記ブラシ片の他方面に添設し、基部をターミナルにスポット溶接またはかしめ固着した後、モータのブラケットに配設して整流子に摺接することが広く一般に用いられている。
【発明の開示】
【発明が解決しようとする課題】
【０００３】
近年、使用する機器の小型化に伴い、直径が５ｍｍ以下の体格の超小型モータが要求されるようになった。これに伴い、整流子の直径も３ｍｍ乃至５ｍｍ程度に小さくなり、この極小径の整流子に摺接するブラシ装置も超小形化が要求されるに至った。
【０００４】
ところが、超小形のブラシ装置は、ブラシ片の幅が小さいために、肉眼ではダンパー部材を添設する作業が困難になり、必然的に顕微鏡を使用しなければならなくなった。しかしながら、小さい幅のブラシ片に対応させるため、ダンパー部材も超小形化されていて極めて肉薄なことから、このようなダンパー部材を個々に取り上げること自体が困難な上に、ブラシ片の所定位置に精度良く接着することは極めて困難であり、必然的に不良率が高くなると共に、モータの品質にバラツキが生ずる問題点が生じていた。
【０００５】
この発明の目的は、ブラシに対してダンパー部材の添設位置のばらつきをなくして高品質を得ようとするものであり、この発明の別の目的は、ダンパー部材を添設する作業を簡素化して加工工数の低減を図ることができる超小型モータのブラシ装置を提供することにある。
【課題を解決するための手段】
【０００６】
上記課題を解決するため、本発明による超小型モータのブラシ装置は、一方面側を整流子に摺接して給電するブラシ片の他方面にダンパー材を添設した小型モータのブラシ装置において、ばね性を有する金属薄板からなる上記ブラシの一方面側には少なくとも上記整流子が摺接する部位に貴金属箔がクラッドされ、このクラッドの反対面の他方面側には、ポリエステル樹脂が印刷、塗装等によって肉薄にコーティングされたダンパー部材が添設されている。
【０００７】
上記ダンパー部材は、上記金属薄板からなるフープ材にポリエステル樹脂が帯状にコーティングされていて、上記フープ材を所定のピッチで切り出すことにより、上記ブラシ片の他方面側に個々にダンパー部材を設けることが望ましい。
【０００８】
上記ブラシ装置は、先端側が二叉状に形成され、１片の幅が０．１５ｍｍ乃至０．５ｍｍ、２片の間隔が０．１５ｍｍ乃至０．５ｍｍとし、上記金属薄板に板厚が０．０２ｍｍ乃至０．０５ｍｍとすることが望ましい。
【発明の効果】
【０００９】
本発明によれば、整流子に摺接して給電するブラシ片の他方面に、ポリエステル樹脂を印刷、塗装等によって肉薄にコーティングしたダンパー部材を添設しているので、小さい幅のブラシ片に超小形のダンパー部材を接着する作業が不要になり、作業性が大幅に向上すると共に、ブラシ片の所定位置に精度良く添設することができることから、モータの品質を一定に安定化できる。また、顕微鏡を使用しなくてもダンパー部材が添設できるので、作業者の疲労も大幅に少なくすることが可能となる。
【００１０】
また、ダンパー部材を、金属薄板からなるフープ材にポリエステル樹脂が帯状にコーティングされ、このフープ材を所定のピッチで切り出すことにより、ブラシ片の他方面側には個々にダンパー部材が設けられているので、ダンパー部材の添設作業が省略でき、しかも、ダンパー部材を精度良く添設することができるので、モータの品質を安定化することができる。
【００１１】
さらに、先端側が二叉状に形成された本発明のブラシ装置は、１片の幅が０．１５ｍｍ乃至０．５ｍｍ、２片の間隔が０．１５ｍｍ乃至０．５ｍｍに構成され、しかも金属薄板に板厚が０．０２ｍｍ乃至０．０５ｍｍとすることになるが、この様な極小のブラシ装置であっても、ダンパー部材を精度良く添設することができる。
【発明を実施するための最良の形態】
【００１２】
超小型モータのブラシ装置は、一方面側を整流子に摺接して給電するブラシ片の他方面にダンパー材が添設される。このブラシ装置は、ばね性を有する金属薄板からなる上記ブラシの一方面側に少なくとも上記整流子が摺接する部位に貴金属箔がクラッドされている。そして、このクラッドの反対面の他方面側には、ポリエステル樹脂が印刷、塗装等によって肉薄にコーティングされたダンパー部材が添設される。
【００１３】
図１及び図２は、本発明による超小型モータのブラシ装置を示している。ブラシ１は、ばね性を有する金属薄板によって形成され、ブラシ１の一方面側１ａには、モータに配設された整流子（図示しない）の外周面に摺接する部位に、導電性が良好な貴金属箔がクラッド２されている。このクラッド２は、整流子とブラシ１の接触抵抗を低下させ、長寿命化するために設けられている。そして、このクラッド２の反対面の他方面側１ｂには、ポリエステル樹脂が印刷、塗装等によって肉薄にコーティングされたダンパー部材３が添設されている。
【００１４】
ブラシ１は、図１に示すように、先端側が二叉状に分割され、２条のブラシ片１ｃが形成されている。そして、ダンパー部材３は、ブラシ片１ｃの各々の先端側に添設されている。因みに、ブラシ片１ｃの１片の幅ｗは、各々０．１５ｍｍ乃至０．５ｍｍに構成され、２片の間隔ｇは０．１５ｍｍ乃至０．５ｍｍに構成される。また、金属薄板に板厚ｔは、０．０２ｍｍ乃至０．０５ｍｍとしている。さらに、ダンパー部材３は、数ミクロンから至百数十ミクロンの厚みに形成されている。この様な超小型のブラシ装置を必要とするモータは、外径寸法が５ｍｍ程度の円筒型モータであり、このモータに使用される円筒型の整流子は、外径寸法が４ｍｍに構成されている。
【００１５】
上述した超小型のブラシ装置は、図３に示すように、ブラシ１の基部１ｄがターミナル４にスポット溶接またはかしめ固着され、ブラシ１の中間部をピン５の周面に所定角度添設して、二叉状に分割された先端側が自由状態に放出されている。そして、自由状態に放出されたブラシ１のブラシ片１ｃを整流子に摺接させる。
【００１６】
このように、ブラシ１のブラシ片１ｃを整流子に摺接させると、整流子の外周面の僅かな凹凸によってブラシ片１ｃが動揺し、整流子の外周面から離れようとする。このとき、ブラシ片１ｃに添設されたダンパー部材３が動揺を抑制し、整流子との離間を制御して良好な導電を継続する。
【００１７】
次に、ブラシ１のブラシ片１ｃに添設するダンパー部材３は、ポリエステル樹脂を印刷や塗装等によって肉薄にコーティングすることによって形成される。すなわち、図４に示すように、ブラシ１は、ばね性を有する金属薄板からなるフープ材６を素材としている。さらに、フープ材６のダンパー部材３を添設する位置に、予め、ポリエステル樹脂を印刷や塗装等によって数ミクロンから至百数十ミクロンの厚みにコーティングし、ストライプ７を形成する。
【００１８】
その後、プレス機の金型にセットして、ブラシ１の外形を打ち抜き、ブラシ素材７を形成する。このとき、ブラシ素材７の基部と先端側はフープ材６に連結されている。その後、ブラシ素材７の基部と先端側をフープ材６から切り離すことによって、ブラシ１が形成される。この状態では、ブラシ１のブラシ片１ｃにダンパー部材３が添設されている。そして、ブラシ１を図３に示すように屈曲形成して、ブラシ１の基部１ｄをターミナル４にスポット溶接またはかしめ固着する。
【００１９】
なお、上述したブラシ装置は、円筒型の整流子の外周面に摺接させていたが、扁平型の整流子にも適用可能である。また、モータに組み込むための形状は、モータの種別によって適宜に変更可能である。さらに、その他、本発明を逸脱しない範囲で変形可能である。
【産業上の利用可能性】
【００２０】
本発明は、超小型モータの整流子に摺接させるブラシ装置に適用可能である。
【図面の簡単な説明】
【００２１】
【図１】本発明にかかるブラシを示す平面図である。
【図２】本発明にかかるブラシを示す断面図である。
【図３】本発明によるブラシをモータに取り付けた状態を示す平面図である。
【図４】本発明にかかるブラシの形成工程を示す説明図である。
【符号の説明】
【００２２】
１        ブラシ
１ａ      一方面側
１ｂ      他方面側
１ｃ      ブラシ片
２        クラッド
３        ダンパー部材
【図１】
2010246250.tif 000003
【図２】
2010246250.tif 000004
【図３】
2010246250.tif 000005
【図４】
2010246250.tif 000006